(57)【要約】      （修正有）【課題】光ファイバケーブルの束を識別できると共に、光ファイバケーブルの束を構成する光ファイバケーブルの増設・撤去作業が容易な配線識別ユニットを提供する。【解決手段】光ファイバケーブルを別の光ファイバケーブルと識別する配線識別ユニットであって、固定部材１３に引っ掛かるフック部４１と、前記フック部に設けられた識別部４２と、前記フック部に設けられ、複数の前記光ファイバケーブルを束ねて保持するケーブル束保持部４３とを有し、前記ケーブル束保持部は、前記ケーブル束保持部に対して前記光ファイバケーブルを差し入れ、又は前記光ファイバケーブルを前記ケーブル束保持部から取り出すことが可能な開閉部４５を備えることを特徴とする配線識別ユニットである。【選択図】図３
2019139049.tif 000002
【特許請求の範囲】
【請求項１】
光ファイバケーブルを別の光ファイバケーブルと識別する配線識別ユニットであって、
固定部材に引っ掛かるフック部と、
前記フック部に設けられた識別部と、
前記フック部に設けられ、複数の前記光ファイバケーブルを束ねて保持するケーブル束保持部と
を有し、
前記ケーブル束保持部は、前記ケーブル束保持部に対して前記光ファイバケーブルを差し入れ、又は前記光ファイバケーブルを前記ケーブル束保持部から取り出すことが可能な開閉部を備える
ことを特徴とする配線識別ユニット。
【請求項２】
請求項１に記載の配線識別ユニットであって、
前記識別部は、前記フック部に対して前記ケーブル束保持部とは反対側に設けられている
ことを特徴とする配線識別ユニット。
【請求項３】
請求項１又は２に記載の配線識別ユニットであって、
前記ケーブル束保持部は、カラビナである
ことを特徴とする配線識別ユニット。
【請求項４】
光コネクタ接続部を備える複数の引き出し部と、
前記光コネクタ接続部に接続される光ファイバケーブルを、別の光ファイバケーブルと識別する配線識別ユニットと
を有する光配線ユニットであって、
前記引き出し部を収容する筐体と、前記筐体に固定され、前記配線識別ユニットが引っ掛けられる固定部材とを有し、
前記配線識別ユニットは、
前記固定部材に引っ掛かるフック部と、
前記フック部に設けられた識別部と、
前記フック部に設けられ、複数の前記光ファイバケーブルを束ねて保持するケーブル束保持部と
を備え、
前記ケーブル束保持部は、前記ケーブル束保持部に対して前記光ファイバケーブルを差し入れ、又は前記光ファイバケーブルを前記ケーブル束保持部から取り出すことが可能な開閉部を備える
ことを特徴とする光配線ユニット。
【請求項５】
請求項４に記載の光配線ユニットであって、
前記固定部材は、前記フック部が引っ掛けられるシャフト部と、前記シャフト部を前記筐体に固定するシャフト固定部とを有し、
前記シャフト固定部は、前記シャフト固定部が固定される前記筐体に対して傾斜して設けられている
ことを特徴とする光配線ユニット。
【発明の詳細な説明】
【技術分野】
【０００１】
本発明は、配線識別ユニット及び光配線ユニットに関する。
【背景技術】
【０００２】
光接続箱や光配線箱等を構成する光配線ユニットとして、複数の光部品収納トレイを筐体内に挿入して収容するものが知られている。光配線ユニットでは、多心の基幹光ファイバケーブルから、単心毎の光ファイバケーブルに分岐され、それぞれの光ファイバケーブルは、各光部品収納トレイの手前側（作業者側）に設けられた複数の光アダプタに接続されている。したがって、光配線ユニットの内部には、多数の光ファイバケーブルが収容されることになるため、光ファイバケーブルを別の光ファイバケーブルと識別する配線識別タグが使用されることがある。
【０００３】
このような配線識別タグに関して、例えば、特許文献１には、端部のスリットを介し光ファイバケーブルを配線識別タグの保持穴に導き入れることで、配線識別タグを光ファイバケーブルに容易に取り付けることが可能な配線識別タグが開示されている。
【先行技術文献】
【特許文献】
【０００４】
【特許文献１】特開２０１３−４２５７８号公報
【発明の概要】
【発明が解決しようとする課題】
【０００５】
光配線ユニットにおいては、複数の光アダプタを備えた光部品収納トレイを筐体に多段に配置することがある。この際、光部品収納トレイ毎に光ファイバケーブルの束を識別する必要がある場合がある。特許文献１に記載された配線識別タグは、１本の光ファイバケーブルにしか取り付けることができないため、光部品収納トレイ毎に光ファイバケーブルの束を識別するためには、配線識別タグの取付けとは別に、光ファイバケーブルの束を結束する必要がある。しかし、例えばこの光ファイバケーブルの束を構成する光ファイバケーブルの増設・撤去作業をする場合、光ファイバケーブルの束の結束を解く必要がある。このように、増設・撤去作業の際にその都度光ファイバケーブルの束の結束を解いてしまうと、光ファイバケーブルの束としての識別力が低下してしまい、作業性も悪かった。
【０００６】
本発明は、光ファイバケーブルの束を識別できると共に、光ファイバケーブルの束を構成する光ファイバケーブルの増設・撤去作業が容易な配線識別ユニットを提供することを目的とする。
【課題を解決するための手段】
【０００７】
本発明の幾つかの実施形態は、光ファイバケーブルを別の光ファイバケーブルと識別する配線識別ユニットであって、固定部材に引っ掛かるフック部と、前記フック部に設けられた識別部と、前記フック部に設けられ、複数の前記光ファイバケーブルを束ねて保持するケーブル束保持部とを有し、前記ケーブル束保持部は、前記ケーブル束保持部に対して前記光ファイバケーブルを差し入れ、又は前記光ファイバケーブルを前記ケーブル束保持部から取り出すことが可能な開閉部を備えることを特徴とする配線識別ユニットである。
【０００８】
本発明の他の特徴については、後述する明細書及び図面の記載により明らかにする。
【発明の効果】
【０００９】
本発明の幾つかの実施形態によれば、光ファイバケーブルの束を識別できると共に、光ファイバケーブルの束を構成する光ファイバケーブルを容易に増設・撤去することができる。
【図面の簡単な説明】
【００１０】
【図１】図１は、本実施形態の配線識別ユニット４０が設けられた光配線ユニット１０の斜視図である。
【図２】図２Ａ及び図２Ｂは、本実施形態の配線識別ユニット４０が設けられた光配線ユニット１０の内部の様子を示す図である。
【図３】図３Ａは、本実施形態の複数の配線識別ユニット４０がシャフト部１４に引っ掛けられる様子を示す斜視図である。図３Ｂは、本実施形態の複数の配線識別ユニット４０のうち、１つの配線識別ユニット４０をシャフト部１４から取り外した様子を示す斜視図である。
【図４】図４Ａは、本実施形態の配線識別ユニット４０において、開閉部４５が閉じた状態を示す正面図である。図４Ｂは、本実施形態の配線識別ユニット４０において、開閉部４５が開いた状態を示す正面図である。
【発明を実施するための形態】
【００１１】
後述する明細書及び図面の記載から、少なくとも以下の事項が明らかとなる。
【００１２】
光ファイバケーブルを別の光ファイバケーブルと識別する配線識別ユニットであって、固定部材に引っ掛かるフック部と、前記フック部に設けられた識別部と、前記フック部に設けられ、複数の前記光ファイバケーブルを束ねて保持するケーブル束保持部とを有し、前記ケーブル束保持部は、前記ケーブル束保持部に対して前記光ファイバケーブルを差し入れ、又は前記光ファイバケーブルを前記ケーブル束保持部から取り出すことが可能な開閉部を備えることを特徴とする配線識別ユニットが明らかとなる。このような配線識別ユニットによれば、光ファイバケーブルを束として識別できると共に、光ファイバケーブルの束を構成する光ファイバケーブルを容易に増設・撤去することができる。
【００１３】
前記識別部は、前記フック部に対して前記ケーブル束保持部とは反対側に設けられていることが望ましい。これにより、ケーブル束保持部で保持された光ファイバケーブルの束から離して識別部を設けることができるので、識別部に設けられた識別マークを見えやすくすることができる。
【００１４】
前記ケーブル束保持部は、カラビナであることが望ましい。これにより、光ファイバケーブルを束として識別できると共に、光ファイバケーブルの束を構成する光ファイバケーブルを容易に増設・撤去することができる。
【００１５】
光コネクタ接続部を備える複数の引き出し部と、前記光コネクタ接続部に接続される光ファイバケーブルを、別の光ファイバケーブルと識別する配線識別ユニットとを有する光配線ユニットであって、前記引き出し部を収容する筐体と、前記筐体に固定され、前記配線識別ユニットが引っ掛けられる固定部材とを有し、前記配線識別ユニットは、前記固定部材に引っ掛かるフック部と、前記フック部に設けられた識別部と、前記フック部に設けられ、複数の前記光ファイバケーブルを束ねて保持するケーブル束保持部とを備え、前記ケーブル束保持部は、前記ケーブル束保持部に対して前記光ファイバケーブルを差し入れ、又は前記光ファイバケーブルを前記ケーブル束保持部から取り出すことが可能な開閉部を備えることを特徴とする光配線ユニットが明らかとなる。このような光配線ユニットによれば、光ファイバケーブルを束として識別できると共に、光ファイバケーブルの束を構成する光ファイバケーブルを容易に増設・撤去することができる。
【００１６】
前記固定部材は、前記フック部が引っ掛けられるシャフト部と、前記シャフト部を前記筐体に固定するシャフト固定部とを有し、前記シャフト固定部は、前記シャフト固定部が固定される前記筐体に対して傾斜して設けられていることが望ましい。これにより、識別部に設けられた識別マークがシャフト固定部により隠れてしまうことを抑制することができる。
【００１７】
＝＝＝本実施形態＝＝＝
＜光配線ユニット１０の全体構成＞
図１は、本実施形態の配線識別ユニット４０が設けられた光配線ユニット１０の斜視図である。
【００１８】
以下の説明では、図に示すように各方向を定義する。すなわち、光配線ユニット１０の筐体１１に対して引き出し部１２を移動（引き出し又は押込み）させる方向を「前後方向」とし、引き出し部１２を引き出す側を「前」とし、逆側（引き出し部１２を押し込む側）を「後」とする。なお、前後方向のことを「引き出し方向」又は「押し込み方向」と呼ぶことがある。また、引き出し部１２において複数の光コネクタアダプタ１６（以下、単に「光アダプタ１６」と呼ぶことがある）が配列される方向を「上下方向」とし、引き出し部１２において光ファイバケーブル保持具２０が設けられる側を「下」とし、逆側を「上」とする。また、前後方向及び上下方向に垂直な方向を「左右方向」とし、前から後を見た時の右側を「右」とし、逆側を「左」とする。なお、左右方向は、複数の引き出し部１２が配列される方向でもある。
【００１９】
光配線ユニット１０は、複数心を有する基幹光ファイバケーブルを単心毎の光ファイバケーブルに分岐すると共に、分岐された単心の各光ファイバケーブルの端部がコネクタ接続可能に成端された装置である。光配線ユニット１０は、光接続箱と呼ぶことがある。さらに、光配線ユニット１０は、光成端箱又は光配線箱と呼ぶこともある。図１に示すように、本実施形態では、光配線ユニット１０の後部に設けられた分岐部２により、複数心を有する基幹光ファイバケーブル１が単心毎の内部側光ファイバケーブル３に分岐されている。さらに、分岐された内部側光ファイバケーブル３の束は、光配線ユニット１０の筐体１１の内部に導入され、筐体１１の内部において各内部側光ファイバケーブル３の端部が光アダプタ１６にそれぞれ接続されている（不図示）。なお、各内部側光ファイバケーブル３の端部には、内部側光コネクタプラグ４（以下、単に「内部側光プラグ４」と呼ぶことがある）が設けられており、各内部側光プラグ４が光アダプタ１６に接続されている。そして、内部側光プラグ４が接続された光アダプタ１６に対して、筐体１１の外部側から作業側光コネクタプラグ５（以下、単に「作業側光プラグ５」と呼ぶことがある）が挿抜されることにより、内部側光ファイバケーブル３と作業側光ファイバケーブル６との接続を切り替え可能にすることができる。図１に示すように、作業側光ファイバケーブル６の束は光配線ユニット１０の下方に引き回されている。
【００２０】
光配線ユニット１０は、筐体１１と、複数の引き出し部１２と、スライド機構５０とを有する。
【００２１】
筐体１１は、複数の引き出し部１２及びスライド機構５０を収容する部材である。また、筐体１１は、不図示のラックに取り付けられることで、光配線ユニット１０を固定する部材でもある。筐体１１の前側の面が設けられず開口していることにより、後述する引き出し部１２を筐体１１に対して前側に引き出すことができる。なお、複数の引き出し部１２が全て押込み状態（後述）の際に、筐体１１の前側の面を覆うように不図示の蓋部材が設けられてもよい。
【００２２】
引き出し部１２は、複数（ここでは６個）の光アダプタ１６（後述）を保持する部材である。図１に示すように、引き出し部１２は左右方向に垂直な板状に形成されている。引き出し部１２は、光アダプタ１６を有しており、引き出し部１２の前側に複数の光アダプタ１６が配列されている。本実施形態の光配線ユニット１０では、１２個の引き出し部１２が左右方向に配列されている。但し、本実施形態の光配線ユニット１０における引き出し部１２の配列方向や数はこの限りではない。なお、引き出し部１２の上下の両端にはスライド機構５０がそれぞれ設けられている。これにより、引き出し部１２は、筐体１１に対して移動（引き出し又は押込み）することが可能である。
【００２３】
図１では、光配線ユニット１０が有する複数の引き出し部１２のうち、左から２番目の引き出し部１２が引き出されている。このように、引き出し部１２が引き出された状態を「引き出し状態」と呼ぶことがある。また、図１に示すように、光配線ユニット１０が有する複数の引き出し部１２のうち、左から２番目の引き出し部１２以外の引き出し部１２は引き出されていない。このように、引き出し部１２が引き出されていない状態を「初期状態」又は「押込み状態」と呼ぶことがある。引き出し状態となっている引き出し部１２では、光アダプタ１６（後述）が他の引き出し部１２の光アダプタ１６よりも前側に引き出されているので、作業者は、光アダプタ１６に対する作業側光プラグ５の挿抜作業を容易に行うことができる。そして、引き出し状態となっている引き出し部１２を押し込むと、再び初期状態（又は押込み状態）となる。
【００２４】
光アダプタ１６は、光配線ユニット１０の内外の光ファイバケーブルをコネクタ接続可能にする部材である。図１に示すように、本実施形態では、光アダプタ１６を介して内部側光プラグ４と作業側光プラグ５とが接続されることにより、筐体１１内の内部側光ファイバケーブル３と筐体１１外の作業側光ファイバケーブル６とがコネクタ接続されている。なお、光アダプタ１６のことを「光コネクタ接続部１６」と呼ぶことがある。図１に示すように、本実施形態の光配線ユニット１０における引き出し部１２は複数（ここでは６個）の光アダプタ１６を有する。そして、光アダプタ１６は４心タイプの光アダプタである。このため、引き出し部１２は上下方向に計２４個の作業側光プラグ５（又は内部側光プラグ４）の接続口を有する。但し、光アダプタ１６や接続口の配列方向や数はこの限りではない。
【００２５】
スライド機構５０は、引き出し部１２を前後方向に移動可能にする部材である。スライド機構５０の固定側レールが筐体１１に取り付けられ、スライド機構５０の可動側レールが引き出し部１２に取り付けられている。可動側レールが固定側レールに対して前後方向に移動することで、引き出し部１２が筐体１１に対して前後方向に移動することができる。なお、スライド機構５０は、引き出し部１２の上下に一対ずつ設けられている。
【００２６】
本実施形態では、光配線ユニット１０は、光ファイバケーブル保持具２０と、配線識別ユニット４０と、連結機構６０と、ケーブル導入部８０とをさらに有する。
【００２７】
光ファイバケーブル保持具２０は、複数の光ファイバケーブルを束ねて保持する部材である。図１に示すように、本実施形態の光ファイバケーブル保持具２０は、引き出し部１２の下部に取り付けられている。そして、引き出し部１２の光アダプタ１６に接続され、下方に垂れ下がった複数の作業側光ファイバケーブル６を束ねて保持している。前述したように、引き出し部１２は上下方向に計２４個の作業側光プラグ５の接続口を有しているため、光ファイバケーブル保持具２０は、最大で２４本の作業側光ファイバケーブル６を束ねて保持することができる。但し、光ファイバケーブル保持具２０が保持できる作業側光ファイバケーブル６の数はこの限りではない。また、例えば光ファイバケーブル保持具２０が筐体１１の内部に取り付けられることにより、複数の内部側光ファイバケーブル３を束ねて保持してもよい。さらに、光ファイバケーブル保持具２０は、作業側光ファイバケーブル６や内部側光ファイバケーブル３以外の複数の光ファイバケーブルを束ねて保持してもよい。
【００２８】
配線識別ユニット４０は、光ファイバケーブルの束を識別する部材である。図１に示すように、本実施形態の配線識別ユニット４０は、筐体１１の内部に設けられた固定部材１３に取り付けられている。そして、引き出し部１２の光アダプタ１６に接続された複数の内部側光ファイバケーブル３を束ねて保持している。但し、図１では、配線識別ユニット４０が複数の内部側光ファイバケーブル３を束ねて保持する様子の図示を省略している。また、配線識別ユニット４０の識別部４２に設けられた識別マーク４４により、引き出し部１２毎に内部側光ファイバケーブル３の束を識別することができる。なお、前述したように、引き出し部１２は上下方向に計２４個の内部側光プラグ４の接続口を有しているため、配線識別ユニット４０は、最大で２４本の内部側光ファイバケーブル３を束ねて保持することができる。但し、配線識別ユニット４０が保持できる内部側光ファイバケーブル３の数はこの限りではない。また、例えば配線識別ユニット４０が筐体１１の外部に取り付けられることにより、複数の作業側光ファイバケーブル６を束ねて保持してもよい。さらに、配線識別ユニット４０は、作業側光ファイバケーブル６や内部側光ファイバケーブル３以外の複数の光ファイバケーブルを束ねて保持してもよい。
【００２９】
連結機構６０は、光配線ユニットの引き出し部を光配線ユニットの筐体に対して取り外し可能にする部材である。図１に示すように、本実施形態の連結機構６０は、引き出し部１２とスライド機構５０との間に設けられている。また、連結機構６０は、引き出し部１２の上下に一対ずつ設けられている。
【００３０】
ケーブル導入部８０は、光ファイバケーブルを光配線ユニットの筐体内に導入する部材である。図１に示すように、本実施形態のケーブル導入部８０は、筐体１１の後部に設けられている。また、ケーブル導入部８０には、分岐部２が取り付けられている。分岐部２により複数心を有する基幹光ファイバケーブル１が単心毎の内部側光ファイバケーブル３に分岐され、内部側光ファイバケーブル３の束は、ケーブル導入部８０に設けられた導入開口部８１から筐体１１の内部に導入されている。
【００３１】
＜配線識別ユニット４０＞
図２Ａ及び図２Ｂは、本実施形態の配線識別ユニット４０が設けられた光配線ユニット１０の内部の様子を示す図である。図３Ａは、本実施形態の複数の配線識別ユニット４０がシャフト部１４に引っ掛けられる様子を示す斜視図である。図３Ｂは、本実施形態の複数の配線識別ユニット４０のうち、１つの配線識別ユニット４０をシャフト部１４から取り外した様子を示す斜視図である。
【００３２】
前述したように、配線識別ユニット４０は、光ファイバケーブルの束を識別する部材である。本実施形態の配線識別ユニット４０は、筐体１１の内部にある内部側光ファイバケーブル３の束を識別するために、引き出し部１２の光アダプタ１６に接続された複数の内部側光ファイバケーブル３を束ねて保持している。
【００３３】
図２Ａに示すように、本実施形態の配線識別ユニット４０は、光配線ユニット１０の筐体１１の上部に設けられた固定部材１３に取り付けられている。したがって、配線識別ユニット４０は、内部側光ファイバケーブル３の束を筐体１１の内部で持ち上げて保持する。これにより、配線識別ユニット４０は、筐体１１の内部で内部側光ファイバケーブル３同士が絡まらずに内部側光ファイバケーブル３の束を保持することができる。
【００３４】
さらに、図２Ｂに示すように、本実施形態では、複数の配線識別ユニット４０が、固定部材１３に対して左右に配列されて引っ掛けられている。前述したように、本実施形態では、１２個の引き出し部１２が左右方向に配列されている。つまり、光配線ユニット１０の筐体１１の内部で配列される複数の配線識別ユニット４０は、引き出し部１２の配列方向と同一方向となる。このため、１２個の引き出し部１２に対応する１２個の配線識別ユニット４０が、それぞれ、引き出し部１２に接続された内部側光ファイバケーブル３の束を引き出し部１２毎に保持することになる。これにより、配線識別ユニット４０は、筐体１１の内部において、内部側光ファイバケーブル３の束を引き出し部１２毎に容易に識別することができる。
【００３５】
配線識別ユニット４０は、フック部４１と、識別部４２と、ケーブル束保持部４３とを有する（図３Ａ及び図３Ｂ参照）。
【００３６】
フック部４１は、配線識別ユニット４０を光配線ユニット１０の筐体１１に取り付ける部材である。フック部４１は、一部が切り欠かれたリング状に形成されている。このため、図２Ａ〜図３Ｂに示すように、本実施形態のフック部４１は、筐体１１に設けられたシャフト部１４（固定部材１３）に引っ掛けることが可能である。また、シャフト部１４（固定部材１３）に引っ掛けられたフック部４１は、シャフト部１４（固定部材１３）から取り外すことが可能である。フック部４１の上側には識別部４２が設けられ、フック部４１の下側にはケーブル束保持部４３が設けられている。
【００３７】
識別部４２は、ケーブル束保持部４３で保持する光ファイバケーブルの束を識別する部材である。識別部４２は、配線識別ユニット４０の上側に設けられている。また、識別部４２は、フック部４１に対してケーブル束保持部４３とは反対側（上側）に設けられている。これにより、後述するケーブル束保持部４３で保持された内部側光ファイバケーブル３の束から離して識別部４２を設けることができるので、識別部４２に設けられた識別マーク４４（後述）が内部側光ファイバケーブル３の束で隠れてしまうことを抑制し、識別マーク４４（後述）を見えやすくすることができる。
【００３８】
識別部４２には、識別マーク４４が設けられている。識別マーク４４は、ケーブル束保持部４３で保持する内部側光ファイバケーブル３の束を識別する部位である。図２Ａ、図３Ａ及び図３Ｂに示すように、本実施形態の配線識別ユニット４０では、識別マーク４４として数字が記載されることにより、内部側光ファイバケーブル３の束を識別している。識別マーク４４に記載される数字としては、例えば引き出し部１２に付された番号と対応する番号である。但し、識別マーク４４に記載される数字はこの限りではなく、対応する引き出し部１２に設けられた光アダプタ１６の作業側光プラグ５（又は内部側光プラグ４）の接続口の数であってもよい。
【００３９】
ケーブル束保持部４３は、複数の光ファイバケーブルを束ねて保持する部位である。ケーブル束保持部４３は、開閉できる部材（後述する開閉部４５）が設けられたリング状に形成されている。また、本実施形態の配線識別ユニット４０では、ケーブル束保持部４３は、カラビナである。但し、ケーブル束保持部４３は、カラビナに限られず、開閉できる部材が設けられた、複数の光ファイバケーブルを束ねて保持できる部材であればよい。
【００４０】
ケーブル束保持部４３は、配線識別ユニット４０の下側に設けられている。また、ケーブル束保持部４３は、フック部４１に対して識別部４２とは反対側（下側）に設けられている。本実施形態の配線識別ユニット４０では、ケーブル束保持部４３は、引き出し部１２毎に内部側光ファイバケーブル３の束を保持している。また、ケーブル束保持部４３には、開閉部４５が設けられている。開閉部４５は、ケーブル束保持部４３から光ファイバケーブルを出し入れするための部位である。本実施形態の配線識別ユニット４０では、開閉部４５が開閉することにより、ケーブル束保持部４３に対して内部側光ファイバケーブル３を差し入れることが可能である。また、本実施形態の配線識別ユニット４０では、開閉部４５が開閉することにより、ケーブル束保持部４３に保持された内部側光ファイバケーブル３の束のうち、任意の内部側光ファイバケーブル３をケーブル束保持部４３から取り出すことが可能である。開閉部４５の詳細については、後述する。
【００４１】
前述したように、配線識別ユニット４０は、筐体１１の内部に設けられた固定部材１３に取り付けられている。固定部材１３は、シャフト部１４と、シャフト固定部１５とを有する（図２Ａ及び図２Ｂ参照）。
【００４２】
シャフト部１４は、配線識別ユニット４０のフック部４１が引っ掛けられる部位である。シャフト部１４は、左右方向に設けられた棒状の部材であり、シャフト部１４の両端がシャフト固定部１５により支持されている。これにより、シャフト部１４は、シャフト固定部１５を介して光配線ユニット１０の筐体１１に固定されている。
【００４３】
なお、図２Ａに示す光配線ユニット１０の引き出し部１２を引き出す際や、押し込む際には、引き出し部１２に接続された内部側光ファイバケーブル３の束が前後方向に引っ張られたり、押されたりすることで、内部側光ファイバケーブル３の束を保持する配線識別ユニット４０も、前後方向に引っ張られたり、押されたりすることがある。ここで、図３Ａ及び図３Ｂに示すように、本実施形態では、シャフト部１４は、左右方向に延在する円柱状に形成されている。また、この円柱状に形成されたシャフト部１４に対して、配線識別ユニット４０のフック部４１が引っ掛けられている。このため、配線識別ユニット４０が、前後方向に引っ張られたり、押されたりすると、配線識別ユニット４０はシャフト部１４に引っ掛けられるフック部４１を中心にケーブル束保持部４３が回転運動をすることになる。このため、任意の引き出し部１２を引き出す際や、任意の引き出し部１２を押し込む際にも、本実施形態の配線識別ユニット４０は内部側光ファイバケーブル３を束ねて保持する状態を維持することができる。さらに、本実施形態の配線識別ユニット４０は隣の配線識別ユニット４０が保持する内部側光ファイバケーブル３の束と絡んでしまうことを抑制することができる。
【００４４】
前述したように、本実施形態の配線識別ユニット４０のフック部４１は、筐体１１に設けられたシャフト部１４に対して取り外し可能である。また、配線識別ユニット４０のケーブル束保持部４３は、内部側光ファイバケーブル３を束ねて保持することができる。このため、図３Ｂに示すように、フック部４１をシャフト部１４に対して取り外した場合でも、ケーブル束保持部４３が内部側光ファイバケーブル３を束ねて保持する状態を維持することができる。したがって、図３Ｂに示すようにフック部４１をシャフト部１４に対して取り外し、内部側光ファイバケーブル３を束ねて保持された状態を維持したまま、ケーブル束保持部４３ごと前側に移動させることができる。
【００４５】
シャフト固定部１５は、シャフト部１４を光配線ユニット１０の筐体１１に対して固定する部位である。図２Ａに示すように、シャフト固定部１５は、シャフト固定部１５が固定される筐体１１に対して傾斜して設けられている。仮に、シャフト固定部１５が固定される筐体１１に対して傾斜して設けられず、筐体１１に対して鉛直下方に設けられている場合、識別部４２の識別マーク４４がシャフト固定部１５により隠れてしまう。このため、シャフト固定部１５が筐体１１に対して傾斜して設けられることで、識別部４２の識別マーク４４がシャフト固定部１５により隠れてしまうことを抑制することができる。
【００４６】
＜開閉部４５＞
図４Ａは、本実施形態の配線識別ユニット４０において、開閉部４５が閉じた状態を示す正面図である。図４Ｂは、本実施形態の配線識別ユニット４０において、開閉部４５が開いた状態を示す正面図である。
【００４７】
図４Ａに示すように、本実施形態の配線識別ユニット４０では、内部側光ファイバケーブル３の束を保持した状態で、開閉部４５を閉じることができる。この際、内部側光ファイバケーブル３の束は、ケーブル束保持部４３の内部に保持されたまま、内部側光ファイバケーブル３を出入りさせることはできない。一方、図４Ｂに示すように、本実施形態の配線識別ユニット４０では、開閉部４５を開けることができる。開閉部４５は、回転軸４７を中心に回転運動することができる開閉可動部４６を有する。開閉可動部４６が回転軸４７を中心に回転することで、光ファイバケーブル出入口４８が設けられ、内部側光ファイバケーブル３を出入りさせることができる。これにより、内部側光ファイバケーブル３の束は、ケーブル束保持部４３の内部に保持されたまま、任意の内部側光ファイバケーブル３を出入りさせることができる。したがって、本実施形態の配線識別ユニット４０は、内部側光ファイバケーブル３の束を識別できると共に、内部側光ファイバケーブル３の束を構成する内部側光ファイバケーブル３を容易に増設・撤去することができる。
【００４８】
＝＝＝その他の実施形態＝＝＝
前述の実施形態は、本発明の理解を容易にするためのものであり、本発明を限定して解釈するためのものではない。本発明は、その趣旨を逸脱することなく、変更・改良され得ると共に、本発明には、その等価物が含まれることは言うまでもない。
【符号の説明】
【００４９】
１  基幹光ファイバケーブル、２  分岐部、
３  内部側光ファイバケーブル、４  内部側光コネクタプラグ（内部側光プラグ）、
５  作業側光コネクタプラグ（作業側光プラグ）、６  作業側光ファイバケーブル、
１０  光配線ユニット（光接続箱）、１１  筐体、１２  引き出し部、
１３  固定部材、１４  シャフト部、１５  シャフト固定部、
１６  光コネクタアダプタ（光アダプタ、光コネクタ接続部）、
４０  配線識別ユニット、４１  フック部、４２  識別部、
４３  ケーブル束保持部、４４  識別マーク、
４５  開閉部、４６  開閉可動部、４７  回転軸、
４８  光ファイバケーブル出入口
【図１】
2019139049.tif 000003
【図２】
2019139049.tif 000004
【図３】
2019139049.tif 000005
【図４】
2019139049.tif 000006